(57)【要約】【課題】メスコネクタに対してオスコネクタを嵌合する際に適切なフィーリングとすることができるコネクタを提供すること。【解決手段】メスハウジング５のメスビーク５３は、離脱方向側端部に形成される乗り越え面５３ａと、乗り越え面５３ａの上方向側端部から離脱方向に突出する先端突起５３ｃと、を有する。オスハウジング２のオスビーク２３は、挿入方向側端部に形成され、嵌合方向において乗り越え面５３ａと接触する被乗り越え面２３ｂを有する。オスハウジング２に収容されたオス端子３とメスハウジング５に収容されたメス端子６との接続が開始されたたあとに、先端突起５３ｃがオスビーク２３と上下方向において対向し、先端突起５３ｃがオスビーク２３と対向したあとに、乗り越え面５３ａが被乗り越え面２３ｂと接触する。【選択図】図６
2020021644.tif 000002
【特許請求の範囲】
【請求項１】
外周面から突出して形成された係止突起部および嵌合方向において前記係止突起部と離間して形成される離間突起部とを有する第一コネクタハウジングと、
前記第一コネクタハウジングの内部に収容される１以上の第一端子と、
前記第一コネクタハウジングに対して嵌合方向において嵌合し、嵌合状態において前記係止突起部を乗り越えて、前記係止突起部と前記離間突起部との間に入り込むことで、前記係止突起部により係止され、係止状態となる被係止部を有する第二コネクタハウジングと、
前記第二コネクタハウジングの内部に収容され、前記嵌合状態において対応する前記第一端子と接続される１以上の第二端子と、
前記第二コネクタハウジングに支持されることで、前記係止状態において初期位置から嵌合保証位置に移動自在であり、前記初期位置から前記嵌合保証位置への移動に伴って前記係止突起部、前記被係止部を順に乗り越えて、前記嵌合保証位置で嵌合方向において前記離間突起部と対向する検知突起部を有する嵌合検知部材と、
を備え、
前記被係止部は、
嵌合方向における両端部のうち、第一方向側端部に形成される乗り越え面と、
前記乗り越え面の嵌合方向と直交する上下方向における両端部のうち、上方向側端部から第一方向に突出する先端突起と、
を有し、
前記係止突起部は、
嵌合方向における両端部のうち、第二方向側端部に形成され、嵌合方向において前記乗り越え面と接触する被乗り越え面を有し、
前記第一端子と前記第二端子との接続が開始されたたあとに、
前記先端突起が前記係止突起部と上下方向において対向し、
前記先端突起が前記係止突起部と対向したあとに、
前記乗り越え面が前記被乗り越え面と接触する、
ことを特徴とするコネクタ。
【請求項２】
請求項１に記載のコネクタにおいて、
前記被係止部は、上下方向における両面のうち上面が平坦に形成されて、第一方向側端部が前記先端突起の第一方向側端部まで延在している、
コネクタ。
【請求項３】
請求項２に記載のコネクタにおいて、
前記離間突起部は、上下方向における両面のうち上面が平坦に形成され、かつ前記係止状態において、前記被係止部の前記上面と一直線状、または前記被係止部の前記上面よりも上下方向において下方向に形成されている、
コネクタ。
【請求項４】
請求項２または３に記載のコネクタにおいて、
前記係止突起部は、前記係止状態において、上下方向における両面のうち上面が前記被係止部の前記上面よりも下方向側に形成されており、
前記被係止部は、嵌合方向における両端部のうち、第二方向側端部に前記上面と連続する案内面が形成され、
前記案内面は、嵌合方向から見た場合に、前記係止突起部の前記上面から突出し、かつ、上方向に向かうに伴って第二方向側に突出する傾斜面である、
コネクタ。
【請求項５】
請求項１〜４のいずれか１つに記載のコネクタにおいて、
前記嵌合検知部材は、
本体部と、
一端が前記本体部と連結するロックアーム部と、
を有し、
前記検知突起部は、前記ロックアーム部の他端に形成されており、
前記ロックアーム部は、上下方向における両面のうち下面から下方向に突出して形成され、かつ前記検知突起部と連続するリブが形成される、
コネクタ。
【請求項６】
請求項１〜５のいずれか１つに記載のコネクタにおいて、
前記先端突起と前記係止突起部とが上下方向において対向する際に、
前記先端突起と前記係止突起部との間に隙間が形成される、
コネクタ。
【発明の詳細な説明】
【技術分野】
【０００１】
本発明は、コネクタに関する。
【背景技術】
【０００２】
ワイヤハーネス等に適用される従来のコネクタとして、例えば、特許文献１には、オスコネクタと、メスコネクタと、メスコネクタの外側にスライド可能に取り付けられた嵌合検知部材としてのＣＰＡ部材とを備えたＣＰＡコネクタが開示されている。ＣＰＡコネクタは、メスハウジングに対してオスハウジングを挿入することで、オスハウジングの係止突起部と離間突起部との間にメスハウジングの被係止部が入り込み、被係止部が係止状態となり、メスコネクタに対してオスコネクタが嵌合される。さらに、係止状態において、メスハウジングに支持されたＣＰＡ部材を初期位置から嵌合検知位置まで移動させることで、ＣＰＡ部材の検知突起部が係止突起部、被係止部を順に乗り越える。
【先行技術文献】
【特許文献】
【０００３】
【特許文献１】国際公開第２０１０／０３２０８８号
【発明の概要】
【発明が解決しようとする課題】
【０００４】
メスハウジングに対してオスハウジングを挿入する際に、メスハウジングに収容されたメス端子と、オスハウジングに収容されたオス端子とが接続される。従って、メスハウジンに対してオスハウジングを嵌合させる際に、作業員がメスハウジンあるいはオスハウジングを嵌合方向に押圧する嵌合力には、メス端子に対するオス端子の挿入力および係止突起部を被係止部材が乗り越える嵌合方向の乗り越え力が含まれる。つまり、係止突起部および被係止部材の形状に応じて、嵌合力が大きく変化し、メスコネクタに対してオスコネクタを嵌合するフィーリングが変化する。
【０００５】
本発明は、上記に鑑みてなされたものであって、メスコネクタに対してオスコネクタを嵌合する際に適切なフィーリングとすることができるコネクタを提供することを目的とする。
【課題を解決するための手段】
【０００６】
上述した課題を解決し、目的を達成するために、本発明におけるコネクタは、外周面から突出して形成された係止突起部および嵌合方向において前記係止突起部と離間して形成される離間突起部とを有する第一コネクタハウジングと、前記第一コネクタハウジングの内部に収容される１以上の第一端子と、前記第一コネクタハウジングに対して嵌合方向において嵌合し、嵌合状態において前記係止突起部を乗り越えて、前記係止突起部と前記離間突起部との間に入り込むことで、前記係止突起部により係止され、係止状態となる被係止部を有する第二コネクタハウジングと、前記第二コネクタハウジングの内部に収容され、前記嵌合状態において対応する前記第一端子と接続される１以上の第二端子と、前記第二コネクタハウジングに支持されることで、前記係止状態において初期位置から嵌合保証位置に移動自在であり、前記初期位置から前記嵌合保証位置への移動に伴って前記係止突起部、前記被係止部を順に乗り越えて、前記嵌合保証位置で嵌合方向において前記離間突起部と対向する検知突起部を有する嵌合検知部材と、を備え、前記被係止部は、嵌合方向における両端部のうち、第一方向側端部に形成される乗り越え面と、前記乗り越え面の嵌合方向と直交する上下方向における両端部のうち、上方向側端部から第一方向に突出する先端突起と、を有し、前記係止突起部は、嵌合方向における両端部のうち、第二方向側端部に形成され、嵌合方向において前記乗り越え面と接触する被乗り越え面を有し、前記第一端子と前記第二端子との接続が開始されたたあとに、前記先端突起が前記係止突起部と上下方向において対向し、前記先端突起が前記係止突起部と対向したあとに、前記乗り越え面が前記被乗り越え面と接触する、ことを特徴とする。 
【０００７】
また、上記コネクタにおいて、前記被係止部は、上下方向における両面のうち上面が平坦に形成されて、第一方向側端部が前記先端突起の第一方向側端部まで延在している、ものである。
【０００８】
また、上記コネクタにおいて、前記離間突起部は、上下方向における両面のうち上面が平坦に形成され、かつ前記係止状態において、前記被係止部の前記上面と一直線状、または前記被係止部の前記上面よりも上下方向において下方向に形成されている、ものである。
【０００９】
上記コネクタにおいて、前記係止突起部は、前記係止状態において、上下方向における両面のうち上面が前記被係止部の前記上面よりも下方向側に形成されており、前記被係止部は、嵌合方向における両端部のうち、第二方向側端部に前記上面と連続する案内面が形成され、前記案内面は、嵌合方向から見た場合に、前記係止突起部の前記上面から突出し、かつ、上方向に向かうに伴って第二方向側に突出する傾斜面である、ものである。
【００１０】
上記コネクタにおいて、前記嵌合検知部材は、本体部と、一端が前記本体部と連結するロックアーム部と、を有し、前記検知突起部は、前記ロックアーム部の他端に形成されており、前記ロックアーム部は、上下方向における両面のうち下面から下方向に突出して形成され、かつ前記検知突起部と連続するリブが形成される、ものである。
【００１１】
上記コネクタにおいて、前記先端突起と前記係止突起部とが上下方向において対向する際に、前記先端突起と前記係止突起部との間に隙間が形成される、ものである。
【発明の効果】
【００１２】
本発明によれば、メスコネクタに対してオスコネクタを嵌合する際に適切なフィーリングとすることができる。
【図面の簡単な説明】
【００１３】
【図１】図１は、実施形態におけるＣＰＡコネクタを示す斜視図である。
【図２】図２は、実施形態におけるオスコネクタを示す斜視図である。
【図３】図３は、実施形態におけるオスコネクタを示す断面図である。
【図４】図４は、実施形態におけるメスコネクタを示す分解斜視図である。
【図５】図５は、実施形態におけるメスコネクタの断面図である。
【図６】図６は、実施形態におけるメスコネクタの背面図である。
【図７】図７は、実施形態におけるＣＰＡコネクタの嵌合説明図（嵌合前状態）である。
【図８】図８は、実施形態におけるＣＰＡコネクタの嵌合説明図（係止状態）である。
【図９】図９は、実施形態におけるＣＰＡコネクタの嵌合説明図（嵌合保証状態）である。
【発明を実施するための形態】
【００１４】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１５】
［実施形態］
図１は、実施形態におけるＣＰＡコネクタを示す斜視図である。図２は、実施形態におけるオスコネクタを示す斜視図である。図３は、実施形態におけるオスコネクタを示す断面図である。図４は、実施形態におけるメスコネクタを示す分解斜視図である。図５は、実施形態におけるメスコネクタの断面図である。図６は、実施形態におけるメスコネクタの背面図である。図７は、実施形態におけるＣＰＡコネクタの嵌合説明図（嵌合前状態）である。図８は、実施形態におけるＣＰＡコネクタの嵌合説明図（係止状態）である。図９は、実施形態におけるＣＰＡコネクタの嵌合説明図（嵌合保証状態）である。なお、図１はオスコネクタおよびメスコネクタをそれぞれ構成する各要素を組み合わせた状態を表し、図４はメスコネクタを構成する各要素を分解した状態を表している。また、図３は図１のＡ−Ａ断面図であり、図５は図１のＢ−Ｂ断面図である。
【００１６】
図１〜図９のＸ方向は、本実施形態におけるＣＰＡコネクタ１の嵌合方向であり、オスコネクタＭＣおよびメスコネクタＦＣの前後方向である。Ｙ方向は、嵌合方向と直交し、本実施形態におけるＣＰＡコネクタ１の幅方向である。Ｚ方向は、嵌合方向および幅方向と直交し、本実施形態におけるＣＰＡコネクタ１の上下方向である。Ｘ１方向は第二方向であり挿入方向であり、Ｘ２方向は第一方向であり、離脱方向である。Ｙ１方向は左方向で、Ｙ２方向は右方向である。Ｚ１方向は上方向で、Ｚ２方向は下方向である。以下の説明で用いる各方向は、特に断りのない限り、各部が相互に組み付けられた状態での方向を表すものとする。
【００１７】
本実施形態のＣＰＡコネクタ１は、例えば、自動車等に使用されるワイヤハーネスＷＨ等に適用されるコネクタである。ここでは、ＣＰＡコネクタ１は、図１に示すように、ワイヤハーネスＷＨを構成する電線Ｗ１と電線Ｗ２とを接続する電線対電線接続用の接続機構であり、例えば、エアバック回路において用いられる。ここで、電線Ｗ１，Ｗ２は、例えば、複数の導電性の金属素線を撚り合わせた導体部（芯線）と、当該導体部の外側を覆う絶縁性の被覆部とを含んで構成される。ＣＰＡコネクタ１は、オスコネクタＭＣと、メスコネクタＦＣとを備え、オスコネクタＭＣとメスコネクタＦＣとが相互に嵌合しコネクタ接合されることで、それぞれが備えるオス端子３と、メス端子６とが電気的に接続され、相互間に電気的な接続部位が形成されている。なお、電線Ｗ１，Ｗ２は、オス端子３およびメス端子６にそれぞれ接続され、防水部材が、電線Ｗ１，Ｗ２の外周と、オスハウジング２の端子挿入室および後述するメスハウジング５の端子挿入室とのそれぞれの間に介在し、防水性を確保する。
【００１８】
オスコネクタＭＣは、第一コネクタであり、図１〜図３に示すように、ワイヤハーネスＷＨを構成する電線Ｗ１の末端に接続されるオス型のコネクタである。オスコネクタＭＣは、オスハウジング２と、オス端子３と、フロントフォルダ４とを備える。
【００１９】
オスハウジング２は、第一コネクタハウジングであり、オス側のコネクタハウジングであり、絶縁性の合成樹脂材等によって形成されている。オスハウジング２は、オス端子３を収容するものであり、本体部２１と、オス側リブ２２と、オスビーク２３と、ビーク規制部２４とを有する。
【００２０】
本体部２１は、嵌合方向に沿って離脱方向側が閉塞された略長円筒状に形成されており、内部に嵌合空間部２ａが形成されている。嵌合空間部２ａは、本体部２１の挿入方向側端部に形成された開口により外部と連通し、メスコネクタＦＣのメスハウジング５が嵌合する空間部である。本体部２１は、フロントフォルダ４を介して、嵌合空間部２ａ内にオス端子３の先端部（挿入方向側端部）が露出するようにしてオス端子３を保持する。
【００２１】
オス側リブ２２は、本体部２１の外周面から突出して、嵌合方向に延在して形成されている。本実施形態におけるオス側リブ２２は、本体部２１の外周面に幅方向において対向する位置に一対形成されており、オスコネクタＭＣおよびメスコネクタＦＣのコネクタ嵌合時に、メスハウジング５の後述する一対の支持溝部５４にそれぞれ挿入され、オスハウジング２に対してメスハウジング５を支持する。
【００２２】
オスビーク２３は、係止突起部であり、本体部２１の外周面から突出して形成されている。本実施形態におけるオスビーク２３は、本体部２１の外周面のうち、上方向側の面において、幅方向における略中央部、かつ、嵌合方向における挿入方向側端部の近傍に形成されている。オスビーク２３は、幅方向から見た場合において、上下方向における両面のうち上面２３ａを挟んで嵌合方向において対向する面のうち、挿入方向側の面である被乗り越え面２３ｂが下方向に向かうに伴って挿入方向側に突出する傾斜面に形成され、離脱方向側の面である係止面２３ｃが上下方向と平行（略平行を含む）に形成されている。オスビーク２３は、上面２３ａが平坦、本実施形態では嵌合方向と平行に形成されている。オスビーク２３は、メスハウジング５の後述するメスビーク５３を嵌合方向において係止するものであり、係止状態におけるメスビーク５３の挿入方向側への移動を規制するものである。ここで、オスビーク２３は、上面２３ａが後述する係止状態において、メスビーク５３の上面５３ｂよりも上下方向において下方向側に形成されている。
【００２３】
ビーク規制部２４は、離間突起部であり、本体部２１の外周面から突出して形成されている。ビーク規制部２４は、本体部２１の外周面のうち、上方向側の面において、幅方向における略中央部、かつ、嵌合方向においてオスビーク２３と対向し、オスビーク２３よりも離脱方向側にオスビーク２３と離間して形成されている。ビーク規制部２４は、幅方向から見た場合に、上下方向における両面のうち上面２４ａを挟んで嵌合方向において対向する面のうち、挿入方向側の立設面２４ｂが上下方向と平行（略平行を含む）に形成され、離脱方向側の面である接触面２４ｃが下方向に向かうに伴って離脱方向側に突出する傾斜面に形成されている。ビーク規制部２４は、上面２３ａが平坦、本実施形態では嵌合方向と平行に形成されている。ここで、ビーク規制部２４は、上面２４ａが後述する係止状態において、メスビーク５３の上面５３ｂと一直線状に形成されている。なお、一直線状とは、係止状態において、上面２４ａと立設面２４ｂとの境界、例えば、上面２４ａと立設面２４ｂとの境界が面取りされている場合は、面取り部のうち、立設面２４ｂ側端部と、上面２４ａとの間に、上下方向において上面５３ｂが位置する場合も含まれる。また、一直線状とは、係止状態において、上面５３ｂとメスビーク５３の離脱方向における端面との境界、例えば、上面５３ｂと、メスビーク５３の離脱方向における端面との境界が面取りされている場合は、面取り部のうち、メスビーク５３の離脱方向における端面側端部と、上面５３ｂとの間に、上下方向において上面２４ａが位置する場合も含まれる。
【００２４】
オス端子３は、第一端子であり、メス端子６に挿入されることで、メス端子６と電気的に接続されるものであり、オスハウジング２の内部に１以上収容、本実施形態では幅方向に複数配列されて収容されている。オス端子３は、コネクタ用のオス型の端子金具であり、図１および図３に示すように、電線Ｗ１の末端に接続され全体が導電性の金属によって構成される。オス端子３は、オスハウジング２に保持された状態で嵌合方向に沿って延在する。オス端子３は、フロントフォルダ４と嵌合方向において対向し、先端部がフロントフォルダ４から嵌合空間部２ａに突出し、反対側の端部（離脱方向側の端部）に電線Ｗ２が接続される。ここで、端子挿入室は、嵌合方向に延在して形成され、メス方向側端部が嵌合空間部２ａと連通し、本体部２１のオス方向側端部に形成された開口により外部と連通する。オス端子３は、本体部２１のオス方向側端部に形成されている端子挿入室と連通する開口から嵌合方向に沿って端子挿入室に挿入されて、図示しないランスにより係止されることで、フロントフォルダ４を介して先端部が嵌合空間部２ａ内に露出した状態で、オスハウジング２に保持される。
【００２５】
フロントフォルダ４は、図２および図３に示すように、オスハウジング２の挿入方向側に取り付けられるものである。フロントフォルダ４は、オスハウジング２の嵌合空間部２ａに挿入されて、図示しない係止構造によりオスハウジング２に対して係止されることで、オスハウジング２に保持される。フロントフォルダ４は、挿入方向側端部において、嵌合方向において対向する各オス端子３にそれぞれ対応して開口が形成されており、各開口から各オス端子３の先端部が嵌合空間部２ａに突出する。
【００２６】
メスコネクタＦＣは、第二コネクタであり、図１および図４〜図６に示すように、ワイヤハーネスＷＨを構成する電線Ｗ２の末端に接続されるメス型のコネクタである。メスコネクタＦＣは、メスハウジング５と、メス端子６と、フロントフォルダ７と、ＣＰＡ部材８と、防水パッキン９とを備える。
【００２７】
メスハウジング５は、第二コネクタハウジングであり、メス側のコネクタハウジングであり、オスハウジング２に対して嵌合方向において嵌合するものであり、絶縁性の合成樹脂材等によって形成されている。メスハウジング５は、オス端子３が接続されるメス端子６を収容するものであり、オスハウジング２が嵌合空間部５ａに挿入され、オスハウジング２と嵌合可能なものである。メスハウジング５は、本体部５１と、ロックアーム部５２と、メスビーク５３と、支持溝部５４とを有する。
【００２８】
本体部５１は、嵌合方向に沿って挿入方向側が閉塞された略長円筒状に形成されており、一部がフロントフォルダ７とともに嵌合空間部２ａに挿入されるとともに、オスハウジング２の一部を挿入することで、オスハウジング２と嵌合する部分である。本体部５１は、内部に、嵌合空間部５ａと、ＣＰＡ部材移動空間部５ｂとが形成されている。本体部５１は、第一本体部５１１と、第二本体部５１２と、第三本体部５１３とを有する。
【００２９】
第一本体部５１１は、嵌合方向から見た場合に、矩形形状に形成され、嵌合方向に沿って延在している。第一本体部５１１は、フロントフォルダ７を介して、メス端子６を保持する。第一本体部５１１は、メス端子６に対応する端子挿入室が形成されている。端子挿入室は、嵌合方向に延在して形成され、第一本体部５１１の嵌合方向における両端部に形成された開口により外部と連通し、メス端子６が嵌合方向に沿って挿入されて、保持される空間部である。本実施形態における端子挿入室は、メスハウジング５に設けられる複数のメス端子６の数に応じて、第一本体部５１１の内部に幅方向に複数形成されている。
【００３０】
第二本体部５１２は、嵌合方向に沿って挿入方向側が閉塞された略長円筒状に形成されており、内部に嵌合空間部５ａが形成されている。嵌合空間部５ａは、第二本体部５１２の離脱方向側端部に形成された開口により外部と連通し、オスコネクタＭＣのオスハウジング２が嵌合する空間部である。
【００３１】
第三本体部５１３は、嵌合方向に沿って下方向側に開口が形成された矩形状に形成されており、嵌合方向の両端部に形成された開口により外部と連通するとともに、挿入方向側端部の上方向側に形成された外部と連通して形成されている。第三本体部５１３は、内部にＣＰＡ部材移動空間部５ｂが形成されている。ＣＰＡ部材移動空間部５ｂは、ＣＰＡ部材８が挿入され、ＣＰＡ部材８を嵌合方向に移動自在に支持する空間部である。
【００３２】
ロックアーム部５２は、本体部５１に対してメスビーク５３を上下方向において離間した状態で支持するものである。ロックアーム部５２は、第１アーム部５２１と、第２アーム部５２２とを備える。第１アーム部５２１は、上下方向から見た場合において、離脱方向側が開放するＵ字状に形成されている。第１アーム部５２１は、挿入方向側の両端部が第一本体部５１１と連結され、ロックアーム部５２を本体部５１に対して弾性変形可能に支持する。第１アーム部５２１は、離脱方向側端部の幅方向における中央部に、メスビーク５３が形成されている。従って、第１アーム部５２１は、上下方向に弾性変形することで、メスビーク５３を第一本体部５１１に対して上下方向に移動可能に支持している。第２アーム部５２２は、上下方向から見た場合に、離脱方向側が開放するＵ字状に形成されている。第２アーム部５２２は、離脱方向側の両端部（幅方向における２つの端部）が第１アーム部５２１の離脱方向側の両端部とそれぞれ連結されている。第２アーム部５２２の幅方向における両端部には、それぞれガイドレール部５２３，５２３が外側に突出して形成されている。本実施形態における一対のガイドレール部５２３，５２３は、メスハウジング５に対してＣＰＡ部材８が挿入されるＣＰＡ部材８の挿入時に、ＣＰＡ部材８の後述する爪部８５が抱え込み、ＣＰＡ部材８と爪部８５との間に介在することで、メスハウジング５に対するＣＰＡ部材８の上方向への移動規制しつつ、メスハウジング５に対するＣＰＡ部材８の嵌合方向における移動を支持するものである。
【００３３】
メスビーク５３は、被係止部であり、オスハウジング２に対してメスハウジング５が嵌合方向において嵌合した嵌合状態で、オスビーク２３を上下方向において乗り越えて、嵌合方向においてオスビーク２３とビーク規制部２４との間に入り込み、オスビーク２３により、嵌合方向に係止されるものである。メスビーク５３は、オスビーク２３により嵌合方向において係止されることで係止状態となる。本実施形態におけるメスビーク５３は、ロックアーム部５２の離脱方向側端部において下方向に突出して形成されている。メスビーク５３は、幅方向から見た場合において、嵌合方向における両端部のうち、離脱方向側端部に乗り越え面５３ａが形成されている。本実施形態における乗り越え面５３ａは、上下方向における両面のうち上面５３ｂと上下方向において対向し、下方向に向かうに伴って挿入方向側に凹む傾斜面に形成されている。ここで、本実施形態における乗り越え面５３ａは、被乗り越え面２３ｂに対して、嵌合方向に対する傾斜が浅く（傾斜角度が小さく）形成されている。メスビーク５３は、乗り越え面５３ａの上下方向における両端部のうち、上方向側端部から離脱方向に突出する先端突起５３ｃが形成されている。メスビーク５３は、上面５３ｂが平坦に形成され、離脱方向側端部が先端突起５３ｃの離脱方向側端部まで延在している。つまり、上面５３ｂは、先端突起５３ｃの上下方向における両面のうち上方向側の面を形成する。本実施形態における上面５３ｂは、嵌合方向と平行に形成されている。つまり、メスビーク５３の上面５３ｂは、ビーク規制部２４の上面２４ａと一直線状に形成されていることから、ビーク規制部２４の上面２４ａを嵌合方向に延在させた直線上に位置することとなる。メスビーク５３は、嵌合方向における両端部のうち、挿入方向側端部に上面５３ｂと連続する案内面５３ｄが形成されている。案内面５３ｄは、嵌合方向から見た場合に、オスビーク２３の上面２３ａから突出し、かつ、上方向に向かうに伴って離脱方向側に突出する傾斜面に形成されている。案内面５３ｄは、離脱方向側端部が上面５３ｂの挿入方向側端部と連続して形成されている。ここで、上面５３ｂと案内面５３ｄとの境界は、幅方向から見た場合に、曲面で形成、すなわち面取りされていることが好ましい。
【００３４】
ここで、メスビーク５３は、オス端子３とメス端子６とが接続した、すなわち後述するメス端子６の挿入空間部にオス端子３の先端部の挿入が開始されたあとに、先端突起５３ｃがオスビーク２３と上下方向において対向するように形成されている。つまり、メスビーク５３は、オス端子３とメス端子６とが接続した際に、上下方向において先端突起５３ｃの下方向側にオスビーク２３が位置するように、先端突起５３ｃが形成されている。本実施形態におけるメスビーク５３は、先端突起５３ｃとオスビーク２３とが上下方向において対応する際に、先端突起５３ｃとオスビーク２３との間に隙間を形成するように、形成されている。
【００３５】
支持溝部５４は、嵌合空間部５ａ内において延在方向に沿って形成され、一対のオス側リブ２２にそれぞれ対応して複数形成されている。
【００３６】
メス端子６は、第二端子であり、オス端子３が挿入されることで、オス端子３と電気的に接続されるものであり、メスハウジング５の内部に１以上収容、本実施形態では幅方向に複数配列されて収容されている。メス端子６は、コネクタ用のメス型の端子金具であり、図４および図５に示すように、電線Ｗ２の末端に接続され全体が導電性の金属によって構成される。メス端子６は、メスハウジング５に保持された状態で嵌合方向に沿って延在する。メス端子６は、先端部がフロントフォルダ７と嵌合方向において対向し、先端部と反対側の端部（挿入方向側の端部）に電線Ｗ２が接続される。メス端子６には、第一本体部５１１の挿入方向側端部に形成されている開口から嵌合方向に沿って端子挿入室に挿入されて、図示しないランスにより係止されることで、メスハウジング５に保持される。メス端子６は、挿入空間部が形成されている。挿入空間部は、嵌合方向に延在して形成され、メス端子６の離脱方向側に形成された開口により外部と連通し、オス端子３の先端部が嵌合方向に沿って挿入されて、保持される空間部である。
【００３７】
フロントフォルダ７は、図１、図４および図５に示すように、メスハウジング５の一部が挿入空間部７ａに挿入され、メス端子６の離脱方向への移動を規制するものである。フロントフォルダ７は、第一本体部５１１の離脱方向側端部に取り付けられるものであり、第一本体部５１１の離脱方向側に覆い被さるものである。
【００３８】
ＣＰＡ部材８は、オスハウジング２とメスハウジング５とが完全に嵌合したことを検知するための部材であり、いわゆるＣＰＡ（Ｃｏｎｎｅｃｔｏｒ  Ｐｏｓｉｔｉｏｎ  Ａｓｓｕｒａｎｃｅ：嵌合保証機能）を実現するための部材である。ＣＰＡ部材８は、メスハウジング５のＣＰＡ部材移動空間部５ｂに挿入されるものであり、メスハウジング５に対して嵌合方向に相対移動可能にメスハウジング５に支持されている。ＣＰＡ部材８は、係止状態において、メスハウジング５に対して初期位置から嵌合保証位置まで、離脱方向に移動することができる。ここで、初期位置とは、メスハウジング５に対してＣＰＡ部材８が挿入方向側端部まで移動した位置であり、本実施形態ではＣＰＡ部材８が第三本体部５１３に形成された凸部に乗り上げている状態である。また、嵌合保証位置とは、メスハウジング５に対してＣＰＡ部材８が離脱方向端部まで移動した位置であり、後述するＣＰＡロック部８３が嵌合方向においてビーク規制部２４と対向する位置である。ＣＰＡ部材８は、絶縁性の合成樹脂材等によって形成され、本体部８１と、ロックアーム部８２と、ＣＰＡロック部８３と、リブ８４と、爪部８５とを有する。
【００３９】
本体部８１は、上下方向から見た場合において、離脱方向側が開放されているＵ字形状に形成されている。本体部８１は、挿入方向側端部が上方向側に突出して形成されており、操作面が形成されている。
【００４０】
ロックアーム部８２は、本体部８１に対してＣＰＡロック部８３を上下方向において弾性変形自在に支持するものである。ロックアーム部８２は、板状部材であり、嵌合方向における両端部のうち、挿入方向側端部が本体部８１に対して上下方向において弾性変形自在に連結されている。
【００４１】
ＣＰＡロック部８３は、検知突起部であり、係止状態においてＣＰＡ部材８の初期位置から嵌合保証位置への移動に伴って、オスビーク２３、メスビーク５３を順に乗り越えて、嵌合保証位置でビーク規制部２４と嵌合方向において対向するものである。ＣＰＡロック部８３は、ロックアーム部８２の嵌合方向における両端部のうち、離脱方向側端部に形成されている。本実施形態におけるＣＰＡロック部８３は、ロックアーム部８２の上下方向における両面のうち下面８２ａの離脱方向側端部から下方向側に突出して形成されている。
【００４２】
リブ８４は、ロックアーム部８２の下面８２ａから下方向に突出して形成されるものである。リブ８４は、ＣＰＡロック部８３に連続して形成されている。本実施形態におけるリブ８４は、下面８２ａのうち、幅方向における中央部から下方向に突出して形成されており、離脱方向側の端部がＣＰＡロック部８３の離脱方向側端部と連結されている。リブ８４は、幅方向から見た場合に、下方向側の面が、ＣＰＡロック部８３の下方向側の面と一体に形成されている。
【００４３】
爪部８５は、ＣＰＡ部材８をメスハウジング５に対して支持するものである。爪部８５は、本体部８１の幅方向における両端部にそれぞれ形成されている。ここで、本体部８１は、幅方向における両端部が下方向に突出して形成されている。爪部８５は、本体部８１の幅方向における両端部のうち、幅方向において対向する内側面から内側に向かって突出して形成されている。
【００４４】
防水パッキン９は、図２に示すように、嵌合状態においてオスハウジング２とメスハウジング５との間の隙間に介在することで、外部から嵌合空間部２ａに水などの液体が浸入することを抑制するものである。防水パッキン９は、リング状に形成されており、内部に形成された挿入空間部９ａにメスハウジング５の第一本体部５１１が嵌合方向に沿って挿入される。
【００４５】
次に、ＣＰＡコネクタ１の組み付け、すなわち嵌合について説明する。オスコネクタＭＣの組み付けについて説明する。まず、作業員は、図２および図３に示すように、本体部２１の離脱方向端部に形成された開口から電線Ｗ１が接続されたオス端子３を各端子挿入室にそれぞれ挿入して、挿入された各オス端子３をランスにより係止し、各オス端子３をオスハウジング２の内部で保持することで、各オス端子３をオスハウジング２に組み付ける。次に、作業員は、フロントフォルダ４をオスハウジング２の挿入方向側端部から嵌合空間部２ａに挿入して、フロントフォルダ４を嵌合空間部２ａ内において本体部２１において保持することで、フロントフォルダ４をオスハウジング２に組み付ける。
【００４６】
次に、メスコネクタＦＣの組み付けについて説明する。まず、作業員は、図４、図５に示すように、第一本体部５１１の挿入方向側端部に形成された開口から電線Ｗ２が接続された各メス端子６を各端子挿入室にそれぞれ挿入して、挿入された各メス端子６をランスにより係止し、各メス端子６をメスハウジング５の内部で保持することで、各メス端子６をメスハウジング５に組み付ける。次に、作業員は、防水パッキン９を第二本体部５１２の離脱方向側端部から嵌合空間部５ａに挿入して、挿入空間部９ａに第一本体部５１１を挿入することで、第一本体部５１１により防水パッキン９を保持することで、防水パッキン９をメスハウジング５に組み付ける。次に、作業員は、フロントフォルダ７を第二本体部５１２の離脱方向側端部から嵌合空間部５ａに挿入して、第一本体部５１１をフロントフォルダ７の挿入方向側端部から挿入空間部７ａに挿入して、フロントフォルダ７を嵌合空間部５ａ内において本体部５１に保持することで、フロントフォルダ７をオスハウジング２に組み付ける。
【００４７】
次に、作業員は、ＣＰＡ部材８をメスハウジング５のＣＰＡ部材移動空間部５ｂに挿入して、ＣＰＡ部材８をメスハウジング５に組み付ける。このとき、ＣＰＡ部材８は、一対の爪部８５がロックアーム部５２の一対のガイドレール部５２３，５２３を抱え込み、初期位置に位置した状態で組み付けられる。
【００４８】
次に、作業員は、メスコネクタＦＣにオスコネクタＭＣを組み付ける。作業員は、ＣＰＡ部材８が初期位置の状態で、図７に示すように、メスハウジング５の第一本体部５１１をオスハウジング２の嵌合空間部２ａに挿入するとともに、オスハウジング２をメスハウジング５の嵌合空間部５ａに挿入する。ここで、メスハウジング５に対するオスハウジング２の挿入方向への挿入が開始されると、まず、オスハウジング２に収容されているオス端子３の先端部が、メスハウジング５に収容されているメス端子６の挿入空間部に挿入され、嵌合力として挿入力が最初に発生する。次に、オス端子３とメス端子６との接続が開始されたあと、オスビーク２３とメスビーク５３の先端突起５３ｃとが上下方向において離間した状態で対向する。つまり、オスビーク２３とメスビーク５３の先端突起５３ｃとが上下方向において対向しても、嵌合力としては挿入力のみとなる。従って、嵌合力は、メスビーク５３の乗り越え面５３ａが被乗り越え面２３ｂと接触するまでは、挿入力単独となる。これにより、嵌合力として挿入力が単独で発生したのち、乗り上げ力が合わさるまで、引っ掛かりが抑制された状態で、オスビーク２３を先端突起５３ｃと上下方向において対向する位置まで移動させることができ、メスコネクタＦＣに対してオスコネクタＭＣを嵌合する際に適切なフィーリングとすることができる。次に、オスビーク２３とメスビーク５３の先端突起５３ｃとが上下方向において対向したあと、メスビーク５３の乗り越え面５３ａとオスビーク２３の被乗り越え面２３ｂと接触する。ここで、本実施形態における乗り越え面５３ａと被乗り越え面２３ｂとの接触は、被乗り越え面２３ｂのうち、上方向側端部、すなわち被乗り越え面２３ｂと上面２３ａとの境界と、乗り越え面５３ａとが接触する。メスビーク５３は、乗り越え面５３ａが被乗り越え面２３ｂと接触しながら上方向に弾性変形し、オスビーク２３の上面２３ａに乗り上げる。ここでは、嵌合力として、挿入力とオスビーク２３をメスビーク５３が乗り越える嵌合方向の乗り越え力との合力が発生する。メスビーク５３は、オスビーク２３の上面２３ａを離脱方向に移動し、オスビーク２３とビーク規制部２４との間に、弾性復帰することで入り込む。これにより、図８に示すように、メスビーク５３がオスビーク２３とビーク規制部２４との間に位置し、係止状態となる。
【００４９】
次に、作業員は、係止状態においてＣＰＡ部材８をメスハウジング５に対して初期位置から離脱方向に移動させて、嵌合保証位置まで移動させる。ＣＰＡ部材８は、初期位置において、ＣＰＡロック部８３は、オスビーク２３の上面２３ａと接触している。ＣＰＡ部材８は、オスビーク２３の上面２３ａを離脱方向に移動し、ＣＰＡロック部８３とメスビーク５３の案内面５３ｄと接触する。ＣＰＡロック部８３は、案内面５３ｄと接触しながら離脱方向に移動することで、ロックアーム部８２が上方向に弾性変形し、メスビーク５３の上面５３ｂに乗り上げる。従って、ＣＰＡ部材８は、初期位置においてオスビーク２３に乗り上げている状態で、円滑にメスビーク５３の上面５３ｂに乗り上げることができる。ＣＰＡコネクタ１は、メスコネクタＦＣに対してオスコネクタＭＣを嵌合する際に、さらに適切なフィーリングとすることができる。
【００５０】
ＣＰＡロック部８３は、メスビーク５３の上面５３ｂを離脱方向に移動し、上面５３ｂからビーク規制部２４の上面２４ａに乗り移る。このとき、ビーク規制部２４は、上面２４ａが平坦で、メスビーク５３の上面５３ｂと一直線状に形成されているので、上面２４ａと上面５３ｂとの間に形成される凹部を抑制することができるので、引っ掛かりが抑制された状態で、ＣＰＡロック部８３を上面５３ｂから円滑に上面２４ａに乗り移らせることができる。ＣＰＡコネクタ１は、メスコネクタＦＣに対してオスコネクタＭＣを嵌合する際に、さらに適切なフィーリングとすることができる。
【００５１】
ＣＰＡロック部８３は、ビーク規制部２４の上面２４ａを離脱方向に移動し、上面２４ａから接触面２４ｃと接触する。ＣＰＡロック部８３は、ＣＰＡ部材８が嵌合保証位置まで移動すると、図９に示すように、嵌合方向においてビーク規制部２４と対向する。これにより、ＣＰＡ部材８は、係止状態であることを条件に、初期位置から嵌合保証位置まで移動することとなり、メスコネクタＦＣとオスコネクタＭＣとの嵌合を検知することができるとともに、嵌合が保証される。
【００５２】
以上のように、本実施形態におけるＣＰＡコネクタ１によれば、オス端子３とメス端子６との接続が開始されたあとに、メスビーク５３の先端突起５３ｃがオスビーク２３と上下方向において対向し、先端突起５３ｃがオスビーク２３と対向したあとに、メスビーク５３の乗り越え面５３ａが被乗り越え面２３ｂと接触する。従って、嵌合力としては、まず、オス端子３とメス端子６との接続により挿入力が単独で発生し、次に、乗り越え面５３ａが被乗り越え面２３ｂと接触し、メスビーク５３がオスビーク２３を乗り越えることにより乗り越え力が発生するので、嵌合力がピークとなるタイミングを嵌合力が発生した直後ではなく、遅らせることができる。これにより、ＣＰＡコネクタ１は、メスコネクタＦＣに対してオスコネクタＭＣを嵌合する際に適切なフィーリング、例えば、作業員が円滑にメスコネクタＦＣに対してオスコネクタＭＣを嵌合することができるかの指標である嵌合フィーリングを向上することができる。また、乗り越え面５３ａが被乗り越え面２３ｂと接触することで、メスビーク５３がオスビーク２３を乗り越えることにより発生する乗り越え力が、オス端子３とメス端子６との接続により発生する挿入力よりも前に発生する場合は、乗り越え力のピークと挿入力のピークとの間で発生する嵌合力の変動に伴う嵌合フィーリングの低下という問題がある。しかしながら、本実施形態におけるＣＰＡコネクタ１によれば、メスビーク５３の形状を考慮することで、乗り越え力のピークのタイミングを遅らせ、乗り越え力および挿入力がともに発生する時期を設け、嵌合フィーリングを自在に調整することにより適切なフィーリングとすることができる。
【００５３】
また、本実施形態におけるＣＰＡコネクタ１は、メスビーク５３の上面５３ｂが平坦に形成されて、離脱方向側端部が先端突起５３ｃの離脱方向端部まで延在している。従って、上面５３ｂは、先端突起５３ｃの上下方向における両面のうち上方向側の面を形成するので、先端突起５３ｃにおいて段差などがない。これにより、メスビーク５３の上面５３ｂに乗り上げたＣＰＡ部材８のＣＰＡロック部８３は、引っ掛かりが抑制された状態で、メスビーク５３の離脱方向側端部まで円滑に移動することができる。ＣＰＡコネクタ１は、メスコネクタＦＣに対してオスコネクタＭＣを嵌合する際に、さらに適切なフィーリングとすることができる。
【００５４】
また、本実施形態におけるＣＰＡコネクタ１は、ロックアーム部８２にＣＰＡロック部８３と連続するリブ８４が形成されている。ＣＰＡ部材８は、初期位置から嵌合保証位置まで移動する際に、ロックアーム部８２が上方向に弾性変形することにより、ＣＰＡロック部８３がロックアーム部８２の挿入方向側端部を基点に上方向に回転することとなる。つまり、ＣＰＡロック部８３は、オスビーク２３、メスビーク５３およびビーク規制部２４を接触しながら通過する際に、ＣＰＡロック部８３の下方向側端部の嵌合方向における両端部のうち、挿入方向側端部の面が上面２３ａ、上面５３ｂおよび上面２４ａと接触する。特に、上面５３ｂと上面２４ａとの間には、凹部が形成されていることとなり、ＣＰＡロック部８３の下方向側端部の嵌合方向における両端部のうち、挿入方向側端部の面のみが接触している状態では、上面５３ｂから上面２４ａに移動する際に、引っ掛かる虞がある。一方、本実施形態におけるＣＰＡ部材８は、ＣＰＡロック部８３に対して、ＣＰＡロック部８３の挿入方向側と連続するリブ８４が形成されているので、リブ８４の下方向側端部の面のうち、離脱方向側端部が上面２３ａ、上面５３ｂおよび上面２４ａと接触することができる。従って、ＣＰＡロック部８３が上面５３ｂから上面２４ａに移動する際に、ＣＰＡロック部８３およびリブ８４が上面５３ｂおよび上面２４ａにそれぞれ接触することができる。これにより、ＣＰＡ部材８のＣＰＡロック部８３は、引っ掛かりが抑制された状態で、初期位置から嵌合保証位置まで円滑に移動することができる。ＣＰＡコネクタ１は、メスコネクタＦＣに対してオスコネクタＭＣを嵌合する際に、さらに適切なフィーリングとすることができる。
【００５５】
なお、本実施形態では、乗り越え面５３ａが被乗り越え面２３ｂに対して、嵌合方向に対する傾斜が浅く（傾斜角度が小さく）形成されているが、これに限定されるものではなく、被乗り越え面２３ｂが乗り越え面５３ａに対して、嵌合方向に対する傾斜が浅く（傾斜角度が小さく）形成されていてもよい。この場合、乗り越え面５３ａと被乗り越え面２３ｂとの接触は、乗り越え面５３ａのうち、下方向側端部、すなわち乗り越え面５３ａとビーク５３の底面との境界と、被乗り越え面２３ｂとが接触する。また、本実施形態におけるメスビーク５３の乗り越え面５３ａ、およびオスビーク２３の被乗り越え面２３ｂは、傾斜面で形成されているが、いずれか一方の面が傾斜面で形成されていればよく、他方の面は傾斜面でなくても、例えば、上下方向と平行な面でもよい。
【００５６】
なお、本実施形態では、係止状態において、上面２４ａと上面５３ｂと一直線状に形成されているが、これに限定されるものではなく、上面５３ｂが上下方向において上面２４ａよりも下方向側に形成されていてもよい。
【符号の説明】
【００５７】
１  ＣＰＡコネクタ（コネクタ）
２  オスハウジング（第一コネクタハウジング）
２３  オスビーク（係止突起部）
２３ａ  上面
２３ｂ  被乗り越え面
２４  ビーク規制部（離間突起部）
２４ａ  上面
３  オス端子（第一端子）
４  フロントハウジング
５  メスハウジング（第二コネタクハウジング）
５３  メスビーク（被突起部）
５３ａ  乗り越え面
５３ｂ  上面
５３ｃ  先端突起
５３ｄ  案内面
６  メス端子（第二端子）
７  フロントフォルダ
８  ＣＰＡ部材
８１  本体部
８２  ロックアーム部
８３  ＣＰＡロック部
８４  リブ
９  防水パッキン
ＦＣ  メスコネクタ
ＭＣ  オスコネクタ
Ｗ１，Ｗ２  電線
ＷＨ  ワイヤハーネス
【図１】
2020021644.tif 000003
【図２】
2020021644.tif 000004
【図３】
2020021644.tif 000005
【図４】
2020021644.tif 000006
【図５】
2020021644.tif 000007
【図６】
2020021644.tif 000008
【図７】
2020021644.tif 000009
【図８】
2020021644.tif 000010
【図９】
2020021644.tif 000011